(57)【要約】【課題】出隅柱の折曲する外側面の平面形状と外壁の出隅形状を一致させることが容易な建物用付帯構造物、およびこの建物用付帯構造物を用いたユニット建物を提供すること。【解決手段】建物用付帯構造物の出隅柱８０の少なくとも一つは外側壁同士の為す角度が所定の鈍角となるように隣接配置された一対の出隅形成用柱（支柱８１，８２）を備えている。また、一対の出隅形成用柱（支柱８１，８２）は、外側壁８１ａ，８２ａ同士の為す角度を調整可能にするために、少なくとも一方が水平回動調整可能に設けられている。【選択図】図３０
2015229846.tif 000002
【特許請求の範囲】
【請求項１】
建物ユニットの１つの立面に連結され且つ平面形状が多角形状の張出フレームと、前記張出フレームの側部に設けられた外壁を備えていると共に、前記張出フレームは、平面形状が多角形状の上張出フレーム部と、前記上張出フレーム部と同じ形状の下張出フレーム部と、前記上張出フレーム部の出隅部を下張出フレーム部の出隅部に支持させる出隅柱と、を備える建物用付帯構造物であって、
前記出隅柱の少なくとも一つは外側壁同士の為す角度が所定の鈍角となるように隣接配置された一対の出隅形成用柱を備えると共に、
前記一対の出隅形成用柱は、前記外側壁同士の為す角度を調整可能にするために、少なくとも一方が水平回動調整可能に設けられていることを特徴とする建物用付帯構造物。
【請求項２】
前記張出フレームは、上横枠部材と下横枠部材の両端部間に前記出隅柱が設けられた口型垂直フレームと、前記口型垂直フレームの上側の隅を前記建物ユニットの１つの立面に接続する上接続梁と、前記口型垂直フレームの下側の隅を前記建物ユニットの１つの立面に接続する下接続梁とを備えると共に、
前記上張出フレーム部は前記上横枠部材と前記上接続梁を備え、前記下張出フレーム部は前記下横枠部材と前記下接続梁を備えることを特徴とする請求項１に記載の建物用付帯構造物。
【請求項３】
前記下接続梁及び上接続梁は互いに対応する部分が出隅形状に折曲する折曲部を出隅部として有し、前記下接続梁の折曲部と前記上接続梁の折曲部との間に前記出隅柱が介装されていることを特徴とする請求項２に記載の建物用付帯構造物。
【請求項４】
前記一対の出隅形成用柱は第１，第２のＣ型支柱であり、
前記第１，第２のＣ型支柱は、外側壁と、前記外側壁の一側縁に突設された短フランジと、前記外側壁の他側縁に設けられた長フランジをそれぞれ備え、
前記第１，第２のＣ型支柱は短フランジ同士が隣接するように配置されていると共に、前記第１，第２のＣ型支柱は、前記第１外側壁同士の為す角度を調整可能にするために、少なくとも一方が水平回動調整可能に設けられていることを特徴とする請求項１〜３のいずれか一つに記載の建物用付帯構造物。
【請求項５】
前記出隅柱は、前記上横枠部材と下横枠部材の両端部間に固定された前記第１のＣ型支柱と、前記第１のＣ型支柱に隣接して水平回動可能に設けられた前記第２のＣ型支柱を備えることを特徴とする請求項１〜４のいずれか一つに記載の建物用付帯構造物。
【請求項６】
請求項１〜５のいずれか一つに記載の建物用付帯構造物を使用したことを特徴とするユニット建物。
【発明の詳細な説明】
【技術分野】
【０００１】
本発明は、建物の立面に設けられて内部空間を拡大させる建物用付帯構造物、およびこの建物用付帯構造物を用いたユニット建物に関するものである。
【背景技術】
【０００２】
従来の建物としては、複数の建物ユニットを並設すると共に積み重ねて、複数の建物ユニットの一つの立面に張出ユニットを付帯構造物として接合したユニット建物が知られている（例えば、特許文献１参照）。
【０００３】
この付帯構造物は、建物ユニットの一つの立面に接続した張出フレームと、この張出フレームの上面を覆う上壁（屋根）と、張出フレームの底面を覆う底壁（床）と、張出フレームの側面に取り付けられる外壁等を有する。
【０００４】
また、付帯構造物を建物ユニットに設ける張出フレームの構造としては、２つの縦枠部材と上枠部材及び下枠部材を剛接合して形成した方形状縦枠を一対用いたものが知られている（例えば、特許文献２参照）。この構造では、一対の方形状縦枠を建物ユニットの一立面に対して垂直に配設すると共に、左右に間隔をおいて配設している。そして、各方形状縦枠の２つの縦枠部材の一方を建物ユニットの一立面側の一対の柱に接合し、一対の方形状縦枠の一対の縦枠部材の上下端部を上梁と下梁で連結するようにしている。
【０００５】
更に、付帯構造物を建物ユニットに設ける構造としては、２つの縦枠部材と上枠部材を剛接合して形成した逆Ｕ字状縦枠を一対用いたものが知られている（例えば、特許文献３参照）。この構造では、一対の逆Ｕ字状縦枠を間隔をおいて建物ユニットの一立面に対して垂直に配設すると共に、各逆Ｕ字状縦枠を左右に間隔をおいて配設している。そして、この各逆Ｕ字状縦枠の２つの縦枠部材の一方を建物ユニットの一立面側の左右の柱に接合している。しかも、一対の逆Ｕ字状縦枠の縦枠部材の上端部間および下端部間を上梁と下梁で連結している。
【０００６】
また、側面形状をＬ字状に形成した異形ユニットを付帯構造物として用いて車庫等を形成する構成（例えば、特許文献４参照）が知られている。
【先行技術文献】
【特許文献】
【０００７】
【特許文献１】特開２００３−２６８８８１号公報
【特許文献２】特開２０１０−１８０６０１号公報
【特許文献３】特開２０１１−２３６７２７号公報
【特許文献４】特開平６−２９４２２８号公報
【発明の概要】
【発明が解決しようとする課題】
【０００８】
ところで、このような付帯構造物では、出隅部に出隅柱が設けられると共に、外壁が出隅柱に固定される。この外壁は出隅部で角度を為すため、出隅柱の折曲する外側面の平面形状を外壁の出隅形状と一致させて、外壁を出隅柱の外側面に密接させるのが望ましい。
【０００９】
しかし、出隅柱の折曲する外側面の平面形状と外壁の出隅形状を一致させるのは難しいものである。
【００１０】
そこで、この発明は、出隅柱の折曲する外側面の平面形状と外壁の出隅形状を一致させることが容易な建物用付帯構造物、およびこの建物用付帯構造物を用いたユニット建物を提供することを目的とするものである。
【課題を解決するための手段】
【００１１】
この目的を達成するために、この発明は、建物ユニットの１つの立面に連結され且つ平面形状が多角形状の張出フレームと、前記張出フレームの側部に設けられた外壁を備えていると共に、前記張出フレームは、平面形状が多角形状の上張出フレーム部と、前記上張出フレーム部と同じ形状の下張出フレーム部と、前記上張出フレーム部の出隅部を下張出フレーム部の出隅部に支持させる出隅柱と、を備える建物用付帯構造物であって、前記出隅柱の少なくとも一つは外側壁同士の為す角度が所定の鈍角となるように隣接配置された一対の出隅形成用柱を備えると共に、前記一対の出隅形成用柱は、前記外側壁同士の為す角度を調整可能にするために、少なくとも一方が水平回動調整可能に設けられていることを特徴とする。
【発明の効果】
【００１２】
この構成によれば、出隅柱の折曲する外側面の平面形状と外壁の出隅形状を一致させることが容易となる。
【図面の簡単な説明】
【００１３】
【図１】この発明に係る実施例１の建物用付帯構造物の基本となる参考構造を備えるユニット建物の配置関係を示す概略平面図である。
【図２】図１に示した建物ユニットと建物用付帯構造物の関係を示す斜視図である。
【図３】図２に示した床フレームの平面図である。
【図４】図２に示した屋根フレームの平面図である。
【図５】図２に示した口型垂直フレームの正面図である。
【図６】図５に示した口型垂直フレームの平面図である。
【図７】図５の矢印Ａ１−Ａ１線に沿う断面図である。
【図８】図５の矢印Ｂ１−Ｂ１線に沿う断面図である。
【図９】図３の床フレームの矢印Ａの部分の拡大説明図である。
【図１０】図９を矢印Ａ０方向から見た説明図である。
【図１１】図３の床フレームの矢印Ｂの部分の拡大説明図である。
【図１２】図１１を矢印Ｂ０方向から見た説明図である。
【図１３】図３の床フレームの矢印Ｃの部分の拡大説明図である。
【図１４】図１３を矢印Ｃ０方向から見た説明図である。
【図１５】図３の床フレームの矢印Ｄの部分の拡大説明図である。
【図１６】図１５の矢印Ｄ１−Ｄ１線に沿う断面図である。
【図１７】図４の屋根フレームの矢印Ｅの部分の拡大説明図である。
【図１８】図１７を矢印Ｅ０方向から見た説明図である。
【図１９】図４の屋根フレームの矢印Ｆの部分の拡大説明図である。
【図２０】図１９を矢印Ｆ０方向から見た説明図である。
【図２１】図４の屋根フレームの矢印Ｇの部分の拡大説明図である。
【図２２】図２１の矢印Ｇ０−Ｇ０線に沿う断面図である。
【図２３】図２１の矢印Ｇ１−Ｇ１線に沿う断面図である。
【図２４】（ａ）は図３に示した床フレームの下接続梁の平面図、（ｂ）は（ａ）の左側面図、（ｃ）は（ａ）を矢印Ｈ１方向から見た説明図、（ｄ）は（ｂ）の上端面図である。
【図２５】（ａ）は図４に示した屋根フレームの上接続梁の平面図、（ｂ）は（ａ）の左側面図、（ｃ）は（ａ）を矢印Ｈ２方向から見た説明図、（ｄ）は（ｂ）の上端面図である。
【図２６】図１の建物用付帯構造物に外壁を取り付ける場合の説明図である。
【図２７】図２６の中柱等の拡大説明図である。
【図２８】図２６の口型垂直フレームの拡大説明図である。
【図２９】図２７の中柱と固定ボルトとの関係を示す概略説明図である。
【図３０】（ａ）は図２９の出隅外壁と中柱（出隅柱）との関係を示す概略説明図、（ｂ）は（ａ）の出隅外壁と本発明に係る中柱（出隅柱）の構成を示す概略説明図である。
【図３１】図３０（ｂ）のＡ２−Ａ２線に沿う断面図である。
【発明を実施するための形態】
【００１４】
以下、この発明に係る建物用付帯構造物を図面に基づいて説明する。
[構成]
図１は、この発明に係る建物用付帯構造物の基本となる参考構造を備えるユニット建物の概略平面図である。この図１においてユニット建物１は、並設された複数の建物ユニット２と、建物ユニット２の一つに設けられる建物用付帯構造物３を備えている。
【００１５】
この建物ユニット２は、図２に示したように４隅の支柱２ａと、支柱２ａ，２ａの妻側の下端部間を連結する妻下梁２ｂと、支柱２ａ，２ａの妻側の上端部間を連結する妻上梁２ｃを有する。２ｄは支柱２ａの下端部に連結された桁下梁、２ｅは支柱２ａの上端部に連結された桁上梁である。このような、複数の支柱２ａ，妻下梁２ｂ，妻上梁２ｃ，桁下梁２ｄ，桁上梁２ｅは箱形の構造体を形成している。この構成は周知の構造が採用できるので、詳細な説明は省略する。
【００１６】
この建物用付帯構造物３は、張出フレームFと、後述する外壁（入隅外壁６１、出隅外壁６３，６４）を有する。
【００１７】
この張出フレームＦは、床フレームＦ１を下張出フレーム部として有すると共に、屋根フレームＦ２を上張出フレーム部として有する。この床フレームＦ１は、口型垂直フレーム（方形状縦枠）４の一部（後述）および下接続梁５を備えている。また、屋根フレームＦ２は、口型垂直フレーム（方形状縦枠）４の一部（後述）および上接続梁６を備えている。しかも、張出フレームＦは、中柱（出隅柱）７、中間補強梁８ａ，８ｂ、下端部補強梁９、上端部補強梁１０等を備えている。
＜口型垂直フレーム４＞
この口型垂直フレーム４は、図２，図５に示したように、左右に間隔をおいて平行に配設された一対の縦枠部材（出隅柱）１１，１１（図６参照）と、縦枠部材１１，１１の下端部間に配設された下横枠部材（下梁）１２と、両端部が縦枠部材１１，１１の上端部間に配設された上横枠部材（上梁）１３を備えている。この下横枠部材１２は図８に示したように断面形状がＣ字状に形成され、上横枠部材１３は図７に示したように断面形状がＣ字状に形成されている。
【００１８】
また、各縦枠部材１１は、図２，図６，図１７に示したように、互いに所定角度（図２では鈍角）を為す縦外側壁１１ａ，１１ｂを有する。更に、縦枠部材１１は，図６，図１７に示したように、縦外側壁１１ａ，１１ｂの互いに反対側の縁部にそれぞれ垂直に連設された枠部材固定壁１１ｃおよび梁取付壁１１ｄを有する。
【００１９】
しかも、縦枠部材１１は，図９に示したように縦外側壁１１ａ，１１ｂ，枠部材固定壁１１ｃおよび梁取付壁１１ｄの下端に溶接等により一体に設けられた下補強板（補強材）１１ｅを有する（図１０参照）。また、縦枠部材１１は，図１７に示したように縦外側壁１１ａ，１１ｂ，枠部材固定壁１１ｃおよび梁取付壁１１ｄの上端に溶接等により一体に設けられた上補強板（補強材）１１ｆを有する（図１８参照）。
【００２０】
そして、縦枠部材１１，１１の枠部材固定壁１１ｃ，１１ｃは互いに対向させられている。この枠部材固定壁１１ｃ，１１ｃの下端部には下横枠部材１２の両端部が溶接等により剛接合され、この枠部材固定壁１１ｃ，１１ｃの上端部には上横枠部材１３の両端部が溶接等により剛接合されている。これにより、縦枠部材１１，１１，下横枠部材１２及び上横枠部材１３は、図２に示したように口型（方形枠状）に形成されている。
【００２１】
図１０において、１４は付帯構造物用の基礎、１５は基礎１４から突出するアンカーボルトである。このアンカーボルト１５は縦枠部材１１の下補強板１１ｅを貫通していて、このアンカーボルト１５に螺着した固定ナット１６を締め付けることにより、縦枠部材１１が基礎１４上に垂直に固定されている。アンカーボルト１５と固定ナット１６は固定手段を構成している。
＜下接続梁５＞
図２４（ａ）は図２に示した床フレームの下接続梁５の平面図、図２４（ｂ）は図２４（ａ）の左側面図、図２４（ｃ）は図２４（ａ）を矢印Ｈ１方向から見た説明図、図２４（ｄ）は図２４（ｂ）の上端面図である。
【００２２】
この下接続梁５は、図２，図３，図２４（ａ）に示したように直線部５ａ，５ｂから平面形状がくの字状に形成されている。尚、下接続梁５は断面がＣ字状の部材から形成されている。
【００２３】
この下接続梁５は図３に示したように口型垂直フレーム４の左右に互いに逆向で配設されている。また、図３に示した左右の下接続梁５，５の直線部５ａ，５ａは、口型垂直フレーム４の下横枠部材１２の両端から建物ユニット２側に拡開するように傾斜して延びている。更に、左右の下接続梁５，５の直線部５ｂ，５ｂは、直線部５ａ，５ａから建物ユニット２側に互いに平行に延びている。
【００２４】
また、直線部５ａ，５ａには中間補強梁８ａの両端部に一体に設けた結合部材８ａ１，８ａ１が結合固定され、直線部５ｂ，５ｂには中間補強梁８ｂの両端部に一体に設けた結合部材８ｂ１，８ｂ１が結合固定されている。
【００２５】
結合部材８ａ１は、図１５に示したように先端が直線部５ａの傾斜する方向に傾斜する先端を有すると共に、図１６に示したようにＣ字状に形成されている。また、結合部材８ａ１は、中間補強梁８ａの下面が結合部材８ａ１の下面より上側にずれるように、中間補強梁８ａに固定されている。
【００２６】
これにより、中間補強梁８ａと基礎１４との間に隙間が形成されて、中間補強梁８ｂは基礎１４から浮いた状態となっている。尚、図示は省略したが、中間補強梁８ｂと結合部材８ｂ１の固定関係も中間補強梁８ａと結合部材８ａ１の固定関係と同じようになっている。
【００２７】
更に、下接続梁５の直線部５ａの端部には、図９，図１０に示したように端壁５ａ１が設けられている。また、下接続梁５の直線部５ｂの端部には、図１３，図１４に示したように端壁５ｂ１が一体に設けられていると共に、内側に突出する接続部材１７が溶接固定により一体に設けられている。
【００２８】
そして、端壁５ａ１は、図９，図１０に示したように、端壁５ａ１および口型垂直フレーム４の梁取付壁１１ｄを貫通する固定ボルト（ピン状接続部材）１８と、この固定ボルト１８に螺着された固定ナット１９で、梁取付壁１１ｄの下端部に着脱可能に固定されている。固定ボルト１８と固定ナット１９は固定手段を構成している。
【００２９】
また、図１３，図１４に示したように接続部材１７には下端部補強梁９の端壁９ａが固定ボルト（ピン状接続部材）２０と固定ナット２１により着脱可能に取り付けられている。固定ボルト２０と固定ナット２１は固定手段を構成している。
【００３０】
尚、口型垂直フレーム４の下横枠部材１２，下接続梁５，５，中間補強梁８ａ，８ｂ及び下端部補強梁９等は図２，図３に示した床フレームＦ１を構成しているので、床フレームＦ１は歪みにくい構造となっている。しかも、口型垂直フレーム４の縦枠部材１１が基礎１４上にアンカーボルト１５と固定ナット１６により固定されていると共に、下接続梁５，５が基礎上に載置されている。従って、下接続梁５の端壁５ｂ１を図１３に示したように建物ユニット２の支柱２ａにスペーサＳｐ１を介して押し付けた状態で、縦枠部材１１を基礎１４に固定することにより、下端部補強梁９と建物ユニット２の妻下梁２ｂとの位置決が行われるので、下接続梁５や下端部補強梁９を支柱２ａや妻下梁２ｂに固定していない。
【００３１】
このように下接続梁５と口型垂直フレーム４の下横枠部材（下梁）１２は、建物用付帯構造物３の張出フレームＦの床フレーム（下張出フレーム部）Ｆ１を形成している。尚、この床フレームＦ１は平面形状が多角形状に形成されている。また、多角形の床フレームＦ１の折曲部（角部）Ｐ１は下フレーム出隅部（下出隅部）となる。
＜上接続梁６＞
図２５（ａ）は図４に示した屋根フレームの上接続梁６の平面図、図２５（ｂ）は図２５（ａ）の左側面図、図２５（ｃ）は図２５（ａ）を矢印Ｈ２方向から見た説明図、図２５（ｄ）は図２５（ｂ）の上端面図である。
【００３２】
この上接続梁６は図２，図４，図２５（ａ）に示したように直線部６ａ，６ｂから平面形状がくの字状に形成されている。尚、上接続梁６は断面がＣ字状の部材から形成されている。
【００３３】
この上接続梁６は図４に示したように口型垂直フレーム４の左右に互いに逆向で配設されている。また、図４に示した左右の上接続梁６，６の直線部６ａ，６ａは、口型垂直フレーム４の上横枠部材１３の両端から建物ユニット２側に拡開するように傾斜して延びている。更に、左右の上接続梁６，６の直線部６ｂ，６ｂは、直線部６ａ，６ａから建物ユニット２側に互いに平行に延びている。
【００３４】
また、上接続梁６の直線部６ａの端部には、図１７，図１８に示したように端壁６ａ１が設けられている。更に、上接続梁６の直線部６ｂの端部には、図２１に示したように端壁６ｂ１が一体に設けられていると共に、図２１，図２２に示したように内側に位置させた接続部材（接続板）２２が溶接固定により一体に設けられている。
【００３５】
そして、端壁６ａ１は、図１７，図１８に示したように端壁６ａ１および口型垂直フレーム４の梁取付壁１１ｄを貫通する固定ボルト（ピン状接続部材）２３と、この固定ボルト２３に螺着された固定ナット２４で、梁取付壁１１ｄの上端部に着脱可能に固定されている。固定ボルト２３と固定ナット２４は固定手段を構成している。
【００３６】
更に、図２１に示したように、接続部材２２には上端部補強梁１０の端壁１０ａが固定ボルト（ピン状接続部材）２５と固定ナット２６により着脱可能に取り付けられている。固定ボルト２５と固定ナット２６は固定手段を構成している。この上端部補強梁１０は、図２１，図２３に示したように、固定ボルト（ピン状接続部材）２７，固定ナット２８で建物ユニット２の妻上梁２ｃに取り付けられている。固定ボルト２７と固定ナット２８は固定手段を構成している。
【００３７】
尚、図２１に示したように、上接続梁６の端壁６ｂ１と建物ユニット２の支柱２ａとの間にはスペーサＳｐ２が介装され、上端部補強梁１０と建物ユニット２の妻上梁２ｃとの間にはスペーサＳｐ３（図２３参照）が介装されている。また、口型垂直フレーム４の上横枠部材１３，上接続梁６，６および上端部補強梁１０は図2，図４に示した屋根フレームＦ２を構成している。
＜中柱７＞
下接続梁５は図２，図３に示したように直線部５ａ，５ｂが鈍角で連設された折曲部Ｐ１（図11，図１２参照）を有し、上接続梁６は図２，図４に示したように直線部６ａ，６ｂは鈍角で連設された折曲部Ｐ２（図1９，図２０参照）を有する。
【００３８】
この下接続梁５の折曲部Ｐ１と上接続梁６の折曲部Ｐ２との間には、図２に示したように中柱７が介装されている。この中柱７は、図１１、図１９に示したように所定の角度を為して連設された外側壁７ａ，７ｂと、外側壁７ａ，７ｂから垂直に内側に折り曲げられた支持壁７ｃ，７ｄを有する。また、中柱７は、図１１、図１２に示したように下端に下壁（下取付壁）７ｅを有すると共に、図１９、図２０に示したように上端に上壁（上取付壁）７ｆを有する。
【００３９】
そして、下壁７ｅは図11，図１２に示したように固定手段である固定ボルト（ピン状接続部材）２９及び固定ナット３０で下接続梁５の折曲部Ｐ１の両側の部分に固定され、上壁７ｆは図２０に示したように固定手段である固定ボルト（ピン状接続部材）３１及び固定ナット３２で上接続梁６の折曲部Ｐ２の両側の部分に固定されている。
【００４０】
このように上接続梁６と口型垂直フレーム４の上横枠部材（上梁）１３は、建物用付帯構造物３の張出フレームＦの屋根フレーム（上張出フレーム部）Ｆ２を形成している。尚、この屋根フレームＦ２は、平面形状が多角形状に形成されていると共に、床フレーム（下張出フレーム部）Ｆ１と同じ大きさで同形状に形成されていて、上下で対応している。また、多角形の屋根フレームＦ２の折曲部（角部）Ｐ２は上フレーム出隅部（上出隅部）となる。
＜設置現場での組付等＞
このような構成においては、口型垂直フレーム４を工場等で予め組み付けておき、この口型垂直フレーム４を設置現場まで搬送して、口型垂直フレーム４の縦枠部材１１，１１の下補強板１１ｅを図１０に示したようにアンカーボルト１５および固定ナット１６で基礎１４上に固定する。
【００４１】
一方、図３に示したように下接続梁５，５を口型垂直フレーム４の縦枠部材１１，１１と建物ユニット２の支柱２ａ，２ａとの間に配設する。そして、左右の下接続梁５，５の直線部５ａ，５ａ間に中間補強梁８ａを介装すると共に、左右の下接続梁５，５の直線部５ｂ，５ｂ間に中間補強梁８ｂを介装する。また、直線部５ｂ，５ｂの端部間に下端部補強梁９を介装する。尚、中間補強梁８ａ，８ｂおよび下端部補強梁９は予め工場等において左右の下接続梁５，５間に組み付けておいても良い。
【００４２】
そして、各下接続梁５の一端を図9，図１０に示したように口型垂直フレーム４の縦枠部材１１の梁取付壁１１ｄに固定ボルト（ピン状接続部材）１８，固定ナット１９で固定（ピン接合）する。また、各中柱７の下壁７ｅを図１２に示したように下接続梁５，５に折曲部Ｐ１，Ｐ１の部分の両側に位置させて固定ボルト（ピン状接続部材）２９と固定ナット３０で固定する。
【００４３】
尚、下接続梁５の一端と梁取付壁１１ｄは、リベット等のピン状接続部材でピン接合することにより、固定するようにしても良い。
【００４４】
次に、図21，図２３に示したように、上端部補強梁１０を建物ユニット２の妻上梁２ｃに固定ボルト２７と固定ナット２８で固定し、口型垂直フレーム４の縦枠部材１１の上端部と建物ユニット２の支柱２ａの上端部との間に上接続梁６を破折する。この際、上接続梁６を中柱7の上に位置させると共に、上接続梁６の接続部材２２を上端部補強梁１０の端部に突き合わせる。この状態で、上端部補強梁１０を図２１に示したように上接続梁６側の接続部材２２に固定ボルト（ピン状接続部材）２５と固定ナット２６で固定し、図２０に示したように中柱７の上壁７ｆを上接続梁６に固定ボルト（ピン状接続部材）３１および固定ナット３２で固定する。また、図17，図１８に示したように、上接続梁６の直線部６ａの端部を口型垂直フレーム４の縦枠部材１１に固定ボルト（ピン状接続部材）23および固定ナット２４で固定（ピン接合）する。尚、上接続梁６の一端と梁取付壁１１ｄは、リベット等のピン状接続部材でピン接合することにより、固定するようにしても良い。
【００４５】
図２６は、図１の建物用付帯構造物に外壁を取り付ける場合の説明図である。図２７は図２６の中柱等の拡大説明図、図２８は図２６の口型垂直フレームの拡大説明図、図２９は図２７の中柱と固定ボルトとの関係を示す概略説明図である。
【００４６】
図１に示した建物用付帯構造物３は下接続梁５および上接続梁６を有するが、図２６では図１の下接続梁５および上接続梁６の図示を省略している。
【００４７】
この図２６，２７において、２′は建物用付帯構造物３が取り付けられた建物ユニット２に隣接する建物ユニットである。この建物用付帯構造物３と建物ユニット２′との入隅部には入隅外壁６１が配設されている。この入隅外壁６１は、支柱６０の外面と建物ユニット２′の支柱２ａ′の外面に図示を省略した固定ネジ等の固定手段により固定されている。また、支柱６０は、内面側に取り付けられた額縁取付部材６２を有する。
【００４８】
さらに、中柱７の外側には出隅外壁６３が配設され、口型垂直フレーム４を形成する縦枠部材１１の外側には出隅外壁６４が配設されている。
【００４９】
また、支柱６０と中柱７との間の窓用開口Ｗ１には窓枠６５が配設され、中柱７と口型垂直フレーム４の縦枠部材１１との間の窓用開口Ｗ２には窓枠６６が配設され、口型垂直フレーム４の縦枠部材１１，１１間の窓用開口Ｗ３には窓枠６７が配設されている。
【００５０】
窓枠６５は、図２７に示したように、支柱６０の外面の縁部側及び中柱７の外側壁７ｂの縁部側に取り付けられた柱状で中空の取付部６５ａと、窓用開口Ｗ１内に配設した額縁取付部６５ｂを有する。窓枠６６は、中柱７の外側壁７ａの縁部及び縦枠部材１１の縦外側壁１１ｂの縁部側に取り付けられた柱状で中空の取付部６６ａと、窓用開口Ｗ２内に配設した額縁取付部６６ｂを有する。窓枠６７は、縦枠部材１１，１１の縦外側壁１１ａ，１１ａの縁部に取り付けられた柱状で中空の取付部６７ａと、窓用開口Ｗ３内に配設した額縁取付部６７ｂを有する。
【００５１】
また、中柱７の外側壁７ａ，７ｂの内面には額縁取付部材６８，６９が取り付けられ、縦枠部材１１の縦外側壁１１ａ，１１ｂの内面には額縁取付部材７０，７１が取り付けられている。
【００５２】
そして、図２７に示したように額縁取付部材６２，６９と窓枠６５の額縁取付部６５ｂには額縁７２の側部７２ａ，７２ａが取付られ、額縁取付部材６８，７１と窓枠６６の額縁取付部６６ｂには額縁７３の側部７３ａ，７３ａが取り付けられている。また、図２８に示したように、縦枠部材１１，１１の額縁取付部材７０，７０と窓枠６７の額縁取付部６７ｂには額縁７４が取り付けられている。
【００５３】
更に、出隅外壁６３は、窓枠６５，６６の取付部６５ａ，６６ａ間に位置させて中柱７の外側に配設されている。また、図２７，２８に示したように、出隅外壁６４は、窓枠６６，６７の取付部６６ａ，６７ａ間に位置させて縦枠部材１１の外側に配設されている。この中柱７の外側壁７ａ，７ｂの外面にはシート状のシール部材Ｓ１が固着され、口型垂直フレーム４を形成する縦枠部材１１の縦外側壁１１ａ，１１ｂの外面にはシート状のシール部材Ｓ２が固着されている（図２７参照）。
【００５４】
出隅外壁６３は、図２７に示したように、断面形状がくの字状に連設された壁板部６３ａ，６３ｂと、壁板部６３ａ，６３ｂの接合部の内側に固定された板状でくの字状の保形部材６３ｃと、壁板部６３ａ，６３ｂの内側縁部に固定された取付枠６３ｄ，６３ｅを有する。そして、取付枠６３ｄ，６３ｅは中柱７の外側壁７ａ，７ｂに図示しないネジ等の固定手段で取り付けられている。
【００５５】
また、出隅外壁６４は、図２７，図２８に示したように、断面形状がくの字状に連設された壁板部６４ａ，６４ｂと、壁板部６４ａ，６４ｂの接合部の内側に固定された板状でくの字状の保形部材６４ｃと、壁板部６４ａ，６４ｂの内側縁部に固定された取付枠６４ｄ，６４ｅを有する。そして、取付枠６４ｄ，６４ｅは中柱７の縦外側壁１１ａ，１１ｂに図示しないネジ等の固定手段で取り付けられている。
[参考構造の一部を用いた本発明に係る建物用付帯構造物の構成]
本発明に係る建物用付帯構造物は、上述した参考構造の一部を用いている。この本発明に係る建物用付帯構造物を図２６〜図３１に基づいて説明する。
【００５６】
尚、図３０（ａ）は図２９の出隅外壁と中柱との関係を示す概略説明図、図３０（ｂ）は図３０（ａ）の出隅外壁と本発明に係る中柱の構成を示す概略説明図である。また、図３１は図３０（ｂ）のＡ２−Ａ２線に沿う断面図である。
【００５７】
ところで、図２６〜図２８に示した中柱７は外側壁７ａ，７ｂが一体に形成され、出隅外壁６３の壁板部６３ａ，６３ｂは一体に形成されている。しかも、外側壁７ａ，７ｂの角度および壁板部６３ａ，６３ｂの角度は同じになるように設定されている。
【００５８】
しかしながら、中柱７や出隅外壁６３の加工精度が悪い場合、中柱７の外側壁７ａ，７ｂの角度や出隅外壁６３の壁板部６３ａ，６３ｂの角度にバラツキが生じる。この場合、出隅外壁６３の一方の壁板部６３ｂに設けた取付枠６３ｅを図３０（ａ）のように中柱７の一方の外側壁７ｂに固定したとき、出隅外壁６３の他方の壁板部６３ａに設けた取付枠６３ｄと中柱７の他方の外側壁７ａとの間に隙間７５が生じることもある。
【００５９】
このような隙間が生じた場合、固定不良が生じたり、外壁取付の意匠上での見栄えが悪くなったり、隙間から雨水等が侵入しやすくなる。
【００６０】
このような問題を解決するため本実施例では、図３０（ａ）の中柱７に代えて図３０（ｂ）の出隅柱８０を用いている。この出隅柱８０は、出隅形成用柱である支柱（第１，第２のＣ型支柱）８１，８２から出隅形状に形成されていると共に、図３１の下接続梁５の折曲部Ｒ１と上接続梁６の折曲部Ｒ２との間に介装されている。
【００６１】
この支柱８１は、外側壁（ウエブ）８１ａと、外側壁８１ａの一側縁部に垂直に突設された短フランジ８１ｂと、外側壁８１ａの他側縁に垂直に設けられたＬ字状の長フランジ８１ｃからＣ字状（Ｃ型）に形成されている。この長フランジ８１ｃは、外側壁８１ａの他側縁に垂直に連設された開口側壁８１ｃ１と、開口側壁８１ｃ１に垂直に突設された突縁部８１ｃ２を備えている。
【００６２】
しかも、この支柱８１は、図３１に示したように、下壁８１ｄ及び上壁８１ｅを有する。そして、下壁８１ｄは固定ボルト８３，ナット８４で下接続梁５の直線部５ａに固定され、上壁８１ｅは上接続梁６の直線部６ａに固定ボルト８５，ナット８６で固定されている。尚、固定ボルト８３，８５の軸線は同一軸線上に配設されている。
【００６３】
また、支柱８２は、外側壁（ウエブ）８２ａと、外側壁８２ａの一側縁部に垂直に突設された短フランジ８２ｂと、外側壁８２ａの他側縁に垂直に設けられたＬ字状の長フランジ８２ｃからＣ字状（Ｃ型）に形成されている。この長フランジ８２ｃは、外側壁８２ａの他側縁に垂直に連設された開口側壁８２ｃ１と、開口側壁８２ｃ１に垂直に突設された突縁部８２ｃ２を備えている。
【００６４】
しかも、支柱８１，８２は短フランジ８１ｂ，８２ｂが隣接させられている。また、この支柱８２は、図３１に示したように、下壁８２ｄ及び上壁８２ｅを有する。そして、下壁８２ｄは固定ボルト８７，ナット８８で下接続梁５の直線部５ｂに固定され、上壁８２ｅは上接続梁６の直線部６ｂに固定ボルト８９，ナット９０で固定されている。尚、固定ボルト８７，８９の軸線は同一軸線上に配設されている。
[作用]
次に、このような構成の作用を説明する。
【００６５】
このような構成においては、図３１に示したように、支柱８１，８２を下接続梁５及び上接続梁６に固定する際、先ず、支柱８１，８２を下接続梁５及び上接続梁６に仮固定する。
【００６６】
即ち、図３１に示したように、支柱８１の下壁８１ｄを固定ボルト８３，ナット８４で下接続梁５の直線部５ａに締め付けて仮固定すると共に、支柱８１の上壁８１ｅを固定ボルト８５，ナット８６で上接続梁６の直線部６ａに締め付けて仮固定する。この締め付けは、支柱８１が固定ボルト８３，８５の軸線周りに回転させることができる状態にする。
【００６７】
一方、図３１に示したように、支柱８２の下壁８２ｄを固定ボルト８７，ナット８８で下接続梁５の直線部５ｂに締め付けて仮固定すると共に、支柱８２の上壁８２ｅを固定ボルト８９，ナット９０で上接続梁６の直線部６ｂに締め付けて仮固定する。この締め付けは、支柱８２が固定ボルト８７，８９の軸線周りに回転させることができる状態にする。
【００６８】
このような仮固定状態で、図３０（ｂ）に示すように支柱８１を固定ボルト８３，８５の周りに矢印で示したように回転させて、支柱８１の外側壁８１ａの外面を口型垂直フレーム４の縦枠部材１１の縦外側壁１１ｂの外面と一致させる。そして、この支柱８１の下壁８１ｄを固定ボルト８３，ナット８４で下接続梁５の直線部５ａに締め付け固定すると共に、支柱８１の上壁８１ｅを固定ボルト８５，ナット８６で上接続梁６の直線部６ａに締め付け固定する。
【００６９】
次に、支柱８２を固定ボルト８７，８９の周りに矢印９１，９２で示したように回転させることにより、支柱８１，８２の外側壁８１ａ，８２ａの為す角度を出隅外壁６３の壁板部６３ａ、６３ｂの角度に一致させる。そして、この支柱８２の下壁８２ｄを固定ボルト８７，ナット８８で下接続梁５の直線部５ｂに締め付け固定すると共に、支柱８２の上壁８２ｅを固定ボルト８９，ナット９０で上接続梁６の直線部６ｂに締め付け固定する。
【００７０】
この後、出隅外壁６３の取付枠６３ｄ，６３ｅを支柱８１，８２の外側壁８１ａ，８２ａにシール部材Ｓ１を介してそれぞれ固定する。
【００７１】
尚、支柱８１，８２を下接続梁５および上接続梁６に仮固定した状態で、出隅外壁６３の取付枠６３ｄ，６３ｅを支柱８１，８２の外側壁８１ａ，８２ａにシール部材Ｓ１を介してそれぞれ固定することにより、支柱８１，８２の外側壁８１ａ，８２ａを出隅外壁６３の取付枠６３ｄ，６３ｅに一致させるようにすることもできる。この後、支柱８１，８２を下接続梁５および上接続梁６に堅固に締め付け固定する。
【００７２】
また、固定ボルト８３，８５，８７，８９を挿通するボルト挿通孔（符号省略）は、固定ボルト８３，８５，８７，８９の外径よりも多少大きめに形成しておいて、支柱８１の外側壁８１ａを口型垂直フレーム４の縦枠部材１１の縦外側壁１１ｂに合わせやすくすると共に、支柱８２の外側壁８２ａを支柱６０の外面に合わせやすくすることもできる。
（変形例）
また、本発明では、支柱８１，８２からなる出隅柱８０を図２６の中柱７に代えて用いた例を示したが、この出隅柱８０を口型垂直フレーム４の縦枠部材１１に適用することもできる。この場合、出隅柱８０の支柱８１を縦枠部材１１に代えて用い、支柱８１の開口側壁８１ｃ１を図１の口型垂直フレーム４の下横枠部材１２、上横枠部材１３に溶接又は固定ボルト等で固定すると共に、支柱８２の下壁８２ｄおよび上壁８２ｅを下接続梁５及び上接続梁６に固定するようにする。
＜発明の実施の形態の効果＞
上述した発明の実施の形態の建物用付帯構造物３の作用・効果等について以下に説明する。
（１）この発明の実施の形態の建物用付帯構造物３は、建物ユニット２の１つの立面に連結され且つ平面形状が多角形状の張出フレームＦと、前記張出フレームＦの側部に設けられた外壁（出隅外壁６３，６４）を備えていると共に、前記張出フレームＦは、平面形状が多角形状の上張出フレーム部（屋根フレームＦ２）と、前記上張出フレーム部（屋根フレームＦ２）と同じ形状の下張出フレーム部（床フレームＦ１）と、前記上張出フレーム部（屋根フレームＦ２）の出隅部を下張出フレーム部（床フレームＦ１）の出隅部に支持させる出隅柱８０と、を備えている。しかも、前記出隅柱８０の少なくとも一つは外側壁同士の為す角度が所定の鈍角となるように隣接配置された一対の出隅形成用柱（支柱８１，８２）を備えている。また、前記一対の出隅形成用柱（支柱８１，８２）は、前記外側壁８１ａ，８２ａ同士の為す角度を調整可能にするために、少なくとも一方が水平回動調整可能に設けられている。
【００７３】
この構成によれば、出隅柱８０の折曲する外側面の平面形状と外壁の出隅形状を一致させることが容易となる。即ち、一対の出隅形成用柱（支柱８１，８２）の一方を水平回動させることにより、一対の出隅形成用柱（支柱８１，８２）の外側壁８１ａ，８２ａの為す角度を出隅外壁（６３，６４）に合わせることができるので、出隅柱の折曲する外側面の平面形状と外壁の出隅形状を一致させることが容易となる。これにより、出隅外壁（６３，６４）を一対の出隅形成用柱（支柱８１，８２）の外側壁８１ａ，８２ａに隙間なく固定できる。
（２）この発明の実施の形態の建物用付帯構造物３において、前記張出フレームＦは、上横枠部材１３と下横枠部材１２の両端部間に前記出隅柱が設けられた口型垂直フレーム（４，４０）と、前記口型垂直フレーム（４，４０）の上側の隅を前記建物ユニット２の１つの立面に接続する上接続梁６と、前記口型垂直フレーム４の下側の隅を前記建物ユニット２の１つの立面に接続する下接続梁５とを備えると共に、前記上張出フレーム部（屋根フレームＦ２）は前記上横枠部材１３と前記上接続梁６を備え、前記下張出フレーム部（床フレームＦ１）は前記下横枠部材１２と前記下接続梁５を備えている。
【００７４】
この構成によれば、張出フレームＦに口型垂直フレーム（４，４０）および接続梁（５，６）を用いているので、様々な形状の建物用付帯構造物をユニット建物に設ける際に、外壁を出隅部に隙間無く取り付けることができる。
（３）この発明の実施の形態の建物用付帯構造物３において、前記下接続梁５及び上接続梁６は互いに対応する部分が出隅形状に折曲する折曲部（Ｐ１，Ｐ２）を出隅部として有し、前記下接続梁５の折曲部（Ｐ１）と前記上接続梁６の折曲部（Ｐ２）との間に前記出隅柱８０が介装されている。
【００７５】
この構成によれば、接続梁（５，６）の出隅柱８０の一対の外側壁の角度を
容易に調整できる。
（４）また、この発明の実施の形態の建物用付帯構造物３において、前記一対の出隅形成用柱は第１，第２のＣ型支柱（支柱８１，８２）であり、前記第１，第２のＣ型支柱（支柱８１，８２）は、外側壁８１ａ，８２ａと、前記外側壁８１ａ，８２ａの一側縁に突設された短フランジ８１ｂ，８２ｂと、前記外側壁８１ａ，８２ａの他側縁に設けられた長フランジ８１ｃ、８２ｃをそれぞれ備えている。しかも、前記第１，第２のＣ型支柱（支柱８１，８２）は短フランジ８１ｂ、８２ｂ同士が隣接するように配置されている。また、前記第１，第２のＣ型支柱（支柱８１，８２）は、前記外側壁８１ａ，８２ａ同士の為す角度を調整可能にするために、少なくとも一方が水平回動調整可能に設けられている。
【００７６】
この構成によれば、第１，第２のＣ型支柱（支柱８１，８２）を近接配置しても、外側壁８１ａ，８２ａ同士の為す角度の調整範囲を大きくとることができる。
（５）また、この発明の実施の形態の建物用付帯構造物３において、前記出隅柱８０は、前記上横枠部材１３と下横枠部材１２の両端部間に固定された前記第１のＣ型支柱（支柱８１）と、前記第１のＣ型支柱（支柱８１）に隣接して水平回動可能に設けられた前記第２のＣ型支柱（支柱８２）を備える。
【００７７】
この構成によれば、口型垂直フレーム４の出隅柱の一対の外側壁の角度を容易に調整できる。
（６）また、この発明の実施の形態のユニット建物１は上述した建物用付帯構造物３を使用している。
【００７８】
この構成によれば、上述した建物用付帯構造物３の効果を有するユニット建物１を提供できる。
【符号の説明】
【００７９】
１  ユニット建物
２  建物ユニット
３  建物用付帯構造物
４  口型垂直フレーム
５  下接続梁
６  上接続梁
１２  下横枠部材
１３  上横枠部材
６３  出隅外壁
６４  出隅外壁
８０  出隅柱
８１  支柱（第１のＣ型支柱）
８１ａ  外側壁
８１ｂ  短フランジ
８１ｃ  長フランジ
８２  支柱（第２のＣ型支柱）
８２ａ  外側壁
８２ｂ  短フランジ
８２ｃ  長フランジ
Ｐ１  折曲部（出隅部）
Ｐ２  折曲部（出隅部）
Ｆ  張出フレーム
Ｆ２  屋根フレーム（上張出フレーム部）
Ｆ１  床フレーム（下張出フレーム部）
【図１】
2015229846.tif 000003
【図２】
2015229846.tif 000004
【図３】
2015229846.tif 000005
【図４】
2015229846.tif 000006
【図５】
2015229846.tif 000007
【図６】
2015229846.tif 000008
【図７】
2015229846.tif 000009
【図８】
2015229846.tif 000010
【図９】
2015229846.tif 000011
【図１０】
2015229846.tif 000012
【図１１】
2015229846.tif 000013
【図１２】
2015229846.tif 000014
【図１３】
2015229846.tif 000015
【図１４】
2015229846.tif 000016
【図１５】
2015229846.tif 000017
【図１６】
2015229846.tif 000018
【図１７】
2015229846.tif 000019
【図１８】
2015229846.tif 000020
【図１９】
2015229846.tif 000021
【図２０】
2015229846.tif 000022
【図２１】
2015229846.tif 000023
【図２２】
2015229846.tif 000024
【図２３】
2015229846.tif 000025
【図２４】
2015229846.tif 000026
【図２５】
2015229846.tif 000027
【図２６】
2015229846.tif 000028
【図２７】
2015229846.tif 000029
【図２８】
2015229846.tif 000030
【図２９】
2015229846.tif 000031
【図３０】
2015229846.tif 000032
【図３１】
2015229846.tif 000033